(57)【要約】【課題】  種々の書き味の要求を満足することができる筆記入力装置を提供する。【解決手段】  筆記入力装置６０は、装置本体１２の１つの主面に設けられる感圧入力部６２が２分割された感圧入力部領域６２ａ、６２ｂとして、分離して設けられている。感圧入力部領域６２ａ、６２ｂは、それぞれ、ガラス基板に離間して配設される、第１の参考例等におけるシート１８に相当するシートが、筆記用のペンを摺動させるときの摺動抵抗の大きさが異なるように構成されている。【選択図】  図８
2008276803.tif 000002
【特許請求の範囲】
【請求項１】
筆記用のペンを用いて押圧した状態のまま押圧位置を移動させることで筆記情報を入力する筆記入力装置であって、
装置本体の１つの主面に、複数に分割された感圧入力部を設け、
夫々の感圧入力部は、筆記用のペンを摺動させるときの摺動抵抗の大きさが異なるように、表面粗さが異なっており、
且つ、入力される筆記情報信号を処理する処理部が1個設けられ、
該処理部と前記の感圧入力部とを切り換え可能に接続する切り換えスイッチを有する筆記入力装置。
【請求項２】
前記感圧入力部は、二つに分割されており、分割されている部分は夫々が文字を書くことができる大きさを有する請求項１に記載の筆記入力装置。
【請求項３】
前記感圧入力部は、それぞれの表面に、筆記用のペンを摺動させるときの摺動抵抗の大きさが異なるように表面粗さが異なっているシートを、着脱可能な微粘着材を介して、配設可能に設けてなる請求項１に記載の筆記入力装置。
【請求項４】
使用しない前記シートを収納するシート収納部が装置本体に設けられてなることを特徴とする請求項３記載の筆記入力装置。
【請求項５】
前記処理部と前記複数の感圧入力部とを断続可能に接続する断続スイッチが設けられてなる請求項１に記載の筆記入力装置。
【請求項６】
使用するときに下側を向く装置本体の面の周縁に弾性を有する突出部が設けられてなることを特徴とする請求項１に記載の筆記入力装置。
【請求項７】
前記の感圧入力部に、筆記入力するときの目安となる筆記補助模様表示部が設けられてなる請求項１に記載の筆記入力装置。
【請求項８】
前記の感圧入力部と装置本体との間に液晶表示部が設けられてなる請求項１に記載の筆記入力装置。
【発明の詳細な説明】
【技術分野】
【０００１】
本発明は、筆記入力装置に関する。
【背景技術】
【０００２】
近年、情報通信機器や業務用端末の市場の拡大に伴い、ペンを用いて容易にＸＹ座標を入力することができる入力装置の需要が拡大している。ここでいうＸＹ座標は、マウスのような、移動量を相対的に認識する相対座標ではなく、移動した位置をそのまま認識する平面上の絶対座標（絶対平面座標）であり、以下、これを本明細書では単に平面座標という。
【０００３】
入力方法としては、ペンを用い、あるいは指で直接に、感圧入力部を押圧して筆記した文字や記号等を筆記情報として入力するものと、感圧入力部と一体的に、あるいは感圧入力部に重ねて設けられた、入力内容のメニューを表示した表示部の所定の表示部分に対応する感圧入力部を押圧してメニューの内容を入力するものとがある。
【０００４】
これら筆記情報の入力方法および選択したメニュー情報の入力方法のいずれか１つを実施し、あるいは双方を実施する機能が１つの機器に備えられたものとして、タッチパネルやタブレットがある。
【０００５】
また、入力情報を表示する表示装置については、入力装置とは独立したＣＲＴ等のディスプレイを用いるものと、液晶表示部が入力装置に重ねて一体的に設けられたものとがある。
【０００６】
また、入力装置が使用される場面についてみると、家庭や職場において主に個人専用に用いられ、状況に応じて家族や同僚等の比較的少数者によって共用されるものと、店頭において、不特定多数の人がサイン等をするために用いられるもの等がある。
【０００７】
上記した種々の方式の入力装置のいずれの場合においても、ペンを用いてサイン等の筆記情報を入力するとき、一般的な筆記用具と同様に所謂書き味の良さが求められる。この場合の書き味には、感圧入力部上をペンを滑らすときの抵抗の度合い、言いかえれば滑りすぎる、あるいは引っかかるというような感覚と、感圧入力部にペンを押しつけたときの弾力感の双方が含まれる。
【０００８】
なお、上記のように、書き味は、感圧入力部に対する押下圧力や感圧入力部上をペンが滑るときの摩擦等によって決定付けられるものであるため、感圧入力部の材料としての状態、例えば、表面の損傷等と密接な関係を有する。
【０００９】
このような筆記入力装置の書き味を、使用するペンを工夫することによって改善するものがいくつか提案されている。
【００１０】
例えば、タッチペンのペン先と胴体とを固定する箇所にゴムやばね等の弾性部材を設けたものが提案されている。この筆圧調整機構付きタッチペンによれば、ペンで文字を書くときに強く押しつけて書く癖を持つ人が力を入れても書きやすく、また、このとき、液晶画面に無理な力がかからなくなり液晶画面が壊れにくくなるとされている（特許文献１参照。）。
【００１１】
また、例えば、入力ペンのペン先に樹脂製のタッチボールを備え、このタッチボールをスプリングを介して保持する構造のものが提案されている。この入力ペンによれば、強い筆圧でペンをタッチパネル表面に押しつけても、スプリングによって力が軽減され、これにより軟質のタッチボールの変形が抑えられるため、使用感に優れ、また、ディスプレイを傷つけることがないとされている（特許文献２参照。）。
【特許文献１】特開平９−２０４２６６号公報
【特許文献２】特開２００１−２９０６０１号公報
【発明の開示】
【発明が解決しようとする課題】
【００１２】
しかしながら、上記した従来のペンの構造の工夫による書き味の改善方法は、書き味のうち、滑りすぎる、あるいは引っかかるというような感覚については、着目されておらず、また、実際にもこのような意味での書き味の改善効果を十分に有するものではないと考えられる。
【００１３】
また、これらのものは、例えば、多数の書き手の異なる筆圧条件に応じてばね力等を予め調整したペンを多数用意しておき、各人が自己に好適なペンを選択、購入して使用することになるが、この場合、書き手が、そのときの体調やフィーリングによって異なる書き味を求めようとしても、この要求を満足することができず、ましてや、不特定多数の書き手の書き味の要求を満足することができず、新たなペンを買い求め、あるいは予め種々の書き味のペンを手元に置いておくことが必要となる。
【００１４】
本発明は、上記の課題に鑑みてなされたものであり、種々の書き味の要求を満足することができる筆記入力装置を提供することを目的とする。
【課題を解決するための手段】
【００１５】
上記目的を達成するために、本発明に係る筆記入力装置は、筆記用のペンを用いて押圧した状態のまま押圧位置を移動させることで筆記情報を入力する筆記入力装置であって、
装置本体の１つの主面に、複数に分割された感圧入力部を設け、
夫々の感圧入力部は、筆記用のペンを摺動させるときの摺動抵抗の大きさが異なるように、表面粗さが異なっており、
且つ、入力される筆記情報信号を処理する処理部が1個設けられ、
該処理部と前記の感圧入力部とを切り換え可能に接続する切り換えスイッチを有する構成とする。
【発明の効果】
【００１６】
一つの主面内で書き味を異なる部分を有するようになり、同じペンを用いて筆記入力するときの、書き味を異ならせることができ、多くの書き手の書き味の好みに対応することができる。また、切り換えスイッチを設けることによって処理部が1個で足り、分割された感圧入力部毎に処理部を備えた場合にくらべて、処理部の構成を簡単に出来る。
【発明を実施するための最良の形態】
【００１７】
本発明に係る筆記入力装置の好適な実施の形態（以下、本実施の形態例という。）について、図を参照して、以下に説明する。
【００１８】
本発明に係る筆記入力装置およびペンの好適な実施の形態（以下、本実施の形態例という。）について、図を参照して、以下に説明する。
【００１９】
まず、本実施の形態の第１の例に係る筆記入力装置について図１乃至３を参照して説明する。
【００２０】
本実施の形態の第１の例に係る筆記入力装置は、例えば抵抗膜方式のタッチパネルである。なお、これに限らず、電磁誘導方式や静電結合方式等であってもよく、また、タブレットであってもよい。
【００２１】
筆記入力装置１０は、装置本体１２と処理部１３を有する。
【００２２】
装置本体１２は、表裏２つの主面のそれぞれに、平面座標入力機構を構成する感圧入力部１４ａ、１４ｂが設けられている。
【００２３】
感圧入力部１４ａ、１４ｂは、それぞれ、片面の略全体にわたって抵抗膜１６ａ、１６ｂが設けられた樹脂製のシート１８およびガラス板２０を有する。感圧入力部１４ａのシート１８および感圧入力部１４ｂのシート１８は、筆記用のペンを摺動させるときの摺動抵抗の大きさが異なるように設定されている。このような調整は、例えば表層のハードコート層の表面の粗さを異ならせたシートを選定する等して、シート１８の表面粗さを異ならせることによって行うことができる。シート１８の表面粗さを異ならせるには、例えば、一方のシートについては、樹脂材料を用いてそのまま成形加工した表面の滑らかなものを選択し、他方のシートについては、例えばハードコート層にアクリル系粒子を混ぜる等して樹脂材料にマット（つや消し）粒子を分散したものを成形加工して、表面にマット粒子を露出させた、所謂ノングレア表面処理したものを選択する。なお、感圧入力部１４ａ、１４ｂは、ガラス板２０に変えてシートを用いてもよく、これにより、装置を薄型化することができる。
【００２４】
感圧入力部１４ａ、１４ｂのシート１８の抵抗膜１６ａには、入力範囲を挟んで対向する周縁部に、例えばＩＴＯ膜等の透明導電膜からなる電極２２ａ、２２ｂが配設され、ガラス板２０の抵抗膜１６ｂには、中央の入力範囲を挟んで対向する周縁部に、電極２２ａ、２２ｂと直交する方向に電極２２ｃ、２２ｄが配設される（図３では、便宜的に同一面上に４つの電極を表示。）。シート１８およびガラス板２０は、抵抗膜１６ａ、１６ｂの設けられた側を対向させて、所定離間させた状態で装置本体１２に取り付けられる。ガラス板２０側の抵抗膜１６ｂには、好適には無数のドットスペーサ２４が設けられる。
【００２５】
図３中、例えば、Ｘ軸に平行な電極２２ａ、２２ｂはＹ座標を示す分圧した電圧を、また、Ｙ軸に平行な電極２２ｃ、２２ｄはＸ座標を示す分圧した電圧の検出に、それぞれ利用される。
【００２６】
筆記入力装置１０を構成する処理部１３は、入力される筆記情報信号を処理する、すなわち、感圧入力部１４ａ、１４ｂからの絶対座標値（アナログ信号）をデジタル信号に変換処理する処理部（ＭＣＵ）であり、２個の感圧入力部１４ａ、１４ｂに対して１個のみ設けられる。処理部１３は、抵抗膜１６ａ、１６ｂの電極間に電圧を印加するトランジスタが設けられる（図示せず。）。処理部１３は、さらに、トランジスタを制御する制御部と、接触位置に対応する電圧値を検出する電圧検出部を有し（図示せず。）、座標を検出している。なお、２個の感圧入力部１４ａ、１４ｂに対応して処理部を２個設けることを排除するものではない。
【００２７】
装置本体１２および処理部１３はケーブル２６で接続される。ケーブル２６には、感圧入力部１４ａ、１４ｂの各電極と処理部１３とを接続する電線が収容される。
【００２８】
装置本体１２には、感圧入力部１４ａ、１４ｂと処理部１３との接続を切り換えることができる切り替えスイッチ２８が設けられている。すなわち、感圧入力部１４ａ、１４ｂの電極２２ａ、２２ａに接続される電線３０ａおよび電線３０ｅは、切り替えスイッチ２８の接点部２８ａ、２８ｅによって処理部１３に接続される電線３２ａとの接続が切り換えられ、以下、同様にして、接点部２８ｂ、２８ｆによって電線３０ｂおよび電線３０ｆと電線３２ｂとの接続が、接点部２８ｃ、２８ｇによって電線３０ｃおよび電線３０ｇと電線３２ｃとの接続が、接点部２８ｄ、２８ｈによって電線３０ｄおよび電線３０ｈと電線３２ｄとの接続が、それぞれ切り換えられる。これにより、切り換えスイッチ２８を切り換えることで、感圧入力部１４ａ、１４ｂのうちの使用する感圧入力部と処理部１３とを電気的に接続することができる。
【００２９】
また、装置本体１２には、切り換えスイッチ２８とは別に、さらに断続スイッチ３４が設けられる。これにより、断続スイッチ３４をオン、オフすることで、感圧入力部と処理部１３とを電気的に接続し、または遮断することができる。
【００３０】
上記のように構成される本実施の形態の第１の例に係る筆記入力装置１０の作用について、以下説明する。
【００３１】
後述する筆記用のペンを用いて、例えば図１の状態において上方を向いて配置される感圧入力部１４ａの入力範囲の１点を押下して、ドット記号を筆記すると、押下された接触点で２枚の抵抗膜１６ａ、１６ｂが接触し、電圧は接触点で分圧され、Ｘ座標点およびＹ座標点を示す電圧が出力され、処理装置１３において、ＸＹ平面座標データであるドット記号の筆記入力情報が検出される。また、感圧入力部１４ａの入力範囲の１点を押下した状態でペンを感圧入力部１４ａ上で摺動させて連続線や不連続線を描いて文字を筆記すると、上記と同様にして、処理装置１３において、ＸＹ平面座標データである文字の筆記入力情報が検出される。
【００３２】
検出した筆記入力情報は、一端、コンピュータの記憶部に貯蔵され、必要に応じて後処理される。また、検出した筆記入力情報は、コンピュータに設けたディスプレイ等に表示される。
【００３３】
以上説明した本実施の形態の第１の例に係る筆記入力装置１０は、感圧入力部１４ａ、１４ｂのいずれかを選択して用いることで、ペンの滑り具合を選択、調整することができ、これにより、書き手の書き味の好みに対応することができる。
【００３４】
また、筆記入力装置１０は、複数の感圧入力部が装置本体の表裏２つの主面に設けられているため、複数の感圧入力部を設けることによって生じる装置本体の厚みの増加を軽減することができる。なお、複数の感圧入力部を装置本体の表裏２つの主面以外の箇所に設けることを排除するものではない。
【００３５】
また、筆記入力装置１０は、切り換えスイッチを切り換えて１個の処理部を２個の感圧入力部で共用するため、処理部を２個設ける必要がない。
【００３６】
また、筆記入力装置１０は、書き味を試すために、試し書きするとき、断続スイッチをオフしておくことにより、試し書きの筆記情報が処理部に出力される不都合を避けることができる。
【００３７】
ここで、筆記入力装置１０の切り換えスイッチ２８の変形例として、自動切り換えスイッチ３８について、図４を参照して説明する。
【００３８】
自動切り換えスイッチ３８は、例えば、リードスイッチを用いる。自動切り換えスイッチ３８は、マグネット４０が例えば装置本体１２の内部に設ける孔部４２に、２つの主面方向、言いかえれば、装置本体１２の厚み方向に移動可能なように収容される。このマグネット４０に近接して、装置本体１２の内部に、図３の切り換えスイッチ２８の接点部２８ａ乃至２８ｄに対応するリードスイッチの組４４および接点部２８ｅ乃至２８ｈに対応するリードスイッチの組４６が設けられる。
【００３９】
これにより、図４に示すように、感圧入力部１４ａを使用するべく感圧入力部１４ａを上に向けて装置本体１２をテーブル上等に配置すると、マグネット４０が重力によって装置本体１２の下部に降下する。これにより、リードスイッチの組４４がオンされると同時にリードスイッチの組４６がオフされ、自動的に感圧入力部１４ａと操作部１３とが電気的に接続される。したがって、切り換えスイッチ２８を切り替える手間が省略される。
【００４０】
ここで、図４に合わせて示すように、使用するときに下側を向く装置本体の面の周縁に弾性を有する、例えばゴム等で形成した突出部４８を設けることにより、装置本体１２をテーブル等の上に置くときに受けうる衝撃を軽減することができる。なお、筆記入力装置１０は、２個の感圧入力部１４ａ、１４ｂが装置本体１２の２つの主面に設けられているため、図４中、装置本体１２の上面にも突出部４８が設けられる。
【００４１】
本実施の形態の第１の例に係る筆記入力装置１０において、シート１８を透明材料で形成し、ガラス板２０の表面の入力範囲の周縁部に、感圧入力部１４ａ、１４ｂとは分離、独立して、特定の表示部位にペンでタッチすることでその表示内容が入力されるタッチ入力部を設けた構成としてもよい。
【００４２】
つぎに、本実施の形態の第２の例に係る筆記入力装置について、図５および図６を参照して説明する。
【００４３】
本実施の形態の第２の例に係る筆記入力装置５０は、基本的な構成は、本実施の形態の第１の例に係る筆記入力装置１０と同様であるが、感圧入力部１４ａのシート１８に重ねてさらにカバーシート（シート）５２が設けられている点が筆記入力装置１０と相違する。なお、装置本体１２の裏側の主面（図５では、省略。）に設けられる感圧入力部１４ｂについては、感圧入力部１４ａと同様にシート１８に重ねてさらにカバーシート５２を設けた構成としてもよく、また、感圧入力部１４ｂのままとしてもよい。
【００４４】
感圧入力部１４ａ、１４ｂにそれぞれカバーシート５２を設ける場合、本実施の形態の第１の例に係る筆記入力装置１０において、シート１８について説明したのと同様にして、２枚のカバーシート５２について筆記用のペンを摺動させるときの摺動抵抗の大きさが異なるように設定する。一方、感圧入力部１４ｂについてそのまま用いる場合には、感圧入力部１４ａのカバーシート５２と感圧入力部１４ｂのシート１８とについて、筆記用のペンを摺動させるときの摺動抵抗の大きさが異なるように設定する。
【００４５】
カバーシート５２は、通常の接着剤を用いてシート１８に固着する方法によって感圧入力部１４ａ、１４ｂに設けてよいが、好ましくは、図６に示すように、着脱可能な微粘着材５４の片面を固着させたカバーシート５２を、微粘着材５４を介してシート１８に取り付け、あるいは、微粘着材５４の片面を固着させたシート１８の微粘着材５４上にカバーシート５２を取り付ける構成としてもよい。このような微粘着材５４としては、例えば、ＰＥＴフィルムに微粘着性を有するシリコン系等の粘着剤を片面に塗布した樹脂シートを用いることができ、この樹脂シートの他の片面に通常の接着剤を塗布して、カバーシート５２あるいはシート１８に接着する。カバーシート５２を着脱可能にシート１８、すなわち、感圧入力部１４ａ、１４ｂに取り付ける場合、筆記用のペンを摺動させるときの摺動抵抗の大きさが異なる多数のカバーシート５２を準備しておくことで、所望のカバーシート５２を適宜選定して容易に着脱して用いることができる。
【００４６】
以上説明した本実施の形態の第２の例に係る筆記入力装置５０は、本実施の形態の第１の例に係る筆記入力装置１０と同様の効果を奏することができる。特に、多数のカバーシート５２を着脱して用いることで、書き味を微調整することができ、また、不特定多数の使用者の好みに対応することができる。
【００４７】
つぎに、本実施の形態の第２の例に係る筆記入力装置５０において、図７に示すように、装置本体１２にシート収納部５６を設けておくと、使用しないカバーシート５２を収納することで、例えば多数のカバーシート５２の散乱を防ぐことができる。なお、このとき、装置本体１２に筆記用のペンを収納するペン収納部５８をさらに設けておくと、より好適である。
【００４８】
つぎに、本実施の形態の第３の例に係る筆記入力装置６０について、図８を参照して説明する。
【００４９】
本実施の形態の第３の例に係る筆記入力装置６０は、装置本体１２の１つの主面に設けられる感圧入力部６２が２つの、言いかえれば、２分割された感圧入力部領域６２ａ、６２ｂとして、分離して設けられている点が、本実施の形態の第１の例に係る筆記入力装置１０および本実施の形態の第２の例に係る筆記入力装置５０と相違する。
【００５０】
このとき、感圧入力部領域６２ａ、６２ｂは、それぞれ、ガラス基板に離間して配設される、本実施の形態の第１の例等におけるシート１８に相当するシートが、筆記用のペンを摺動させるときの摺動抵抗の大きさが異なるように構成されたものであってもよく、また、感圧入力部領域６２ａ、６２ｂにさらに、本実施の形態の第１の例等におけるカバーシート５２に相当するシートを設け、これらのシートが、筆記用のペンを摺動させるときの摺動抵抗の大きさが異なるように構成されたものであってもよい。なお、感圧入力部６２が設けられた主面と反対側の装置本体１２の主面（裏面）には、感圧入力部を設ける必要はないが、これに限らず、適宜の感圧入力部を設けてもよい。
【００５１】
本実施の形態の第３の例に係る筆記入力装置６０は、本実施の形態の第１または第２の例と同様の効果を得ることができ、また、装置本体を反転させる等の手順を踏むことなく、ペンの位置を移動させるだけで、書き味の異なる筆記入力を行うことができる。
【００５２】
なお、本実施の形態の第３の例に係る筆記入力装置６０において、感圧入力部６２がある程度大きな面積を有する場合は、例えば、１個の感圧入力部のみで入力領域が構成される感圧入力部のシート１８に相当するシートを書き味の異なる２種類のシート部に分けて構成してもよく、あるいは、感圧入力部のシート１８に重ねるカバーシート５２に相当するシートを書き味の異なる２種類のカバーシート部に分けて構成してもよい。
【００５３】
つぎに、本実施の形態の第４の例に係る筆記入力装置６４について、図９乃至図１１を参照して説明する。
【００５４】
本実施の形態の第４の例に係る筆記入力装置６４は、感圧入力部１４ａに筆記補助模様表示部６６が設けられている点が、上記した他の実施例と相違する。
【００５５】
すなわち、筆記入力装置６４は、例えば図９に示すように、図５の本実施の形態の第２の例に係る筆記入力装置５０と同様に構成され、さらに、感圧入力部１４ａのガラス板２０の表面に、印刷法等により線、記号、文字等の模様を表示した筆記補助模様表示部６６が形成される。なお、筆記補助模様表示部６６は、ガラス板２０の表面以外の箇所に形成してもよく、例えば、ガラス板の裏面側や、シート１８の表面あるいは裏面側や、カバーシート５２の裏面側等に適宜形成することができる。特に、カバーシート５２の裏面側に筆記補助模様表示部６６を形成する場合、複数のカバーシート５２をいわばテンプレートとして用いることができ、所望の表示がなされた筆記補助模様表示部を適宜選定することができる。なお、筆記入力装置６４の装置本体の他方の主面には、筆記補助模様表示部を設けてもよく、また、設けなくてもよい。
【００５６】
筆記補助模様表示部６６は、無地の感圧入力部に筆記入力するときの不具合を軽減するべく、所定の筆記補助模様を表示することにより、筆記の際の目安となるものである。
【００５７】
例えば図１０に示すように、筆記補助模様表示部６６ａは、店頭等において、不特定多数の人に署名を求めるときに、署名し易いように、住所（Your Address）、名前（Your Signature）等を筆記する箇所を、筆記補助模様として枠表示するものであると、好適である。
【００５８】
また、例えば図１１に示すように、筆記補助模様表示部６６ｂは、筆記した文字等の配列が乱れないように、あるいは、筆記し易いように、筆記補助模様として罫線を表示するものであってもよい。また、これら以外にも筆記の際の目安となる適宜の表示を行うことができる。
【００５９】
つぎに、本実施の形態の第５の例に係る筆記入力装置６８について、図１２および図１３を参照して説明する。
【００６０】
本実施の形態の第５の例に係る筆記入力装置６８は、筆記補助模様表示部６６に変えて液晶表示部７０が設けられている点が、本実施の形態の第４の例に係る筆記入力装置６４と相違する。
【００６１】
すなわち、筆記入力装置６８は、図１２に示すように、装置本体１２と感圧入力部１４ａのガラス板２０との間に液晶表示部７０が設けられる。液晶表示部７０は、本実施の形態の第１の例で説明した処理部１３で処理された筆記入力情報、すなわち、文字や記号を表示するものである。
【００６２】
液晶表示部７０は、例えば図１３に示すように、筆記用のペンＰを用いて筆記入力した筆記入力情報を、実質的に時間遅れなく表示するように構成すると、筆記用紙に筆記具で手書きするような感覚で筆記入力することができる。
【００６３】
また、液晶表示部７０は、上記の構成に変えて、例えば、感圧入力部の隅に入力完了を表示するタッチ入力部を設け、所定の筆記入力を行った後、タッチ入力部にタッチすることで、筆記入力装置上に筆記入力情報を表示して、筆記内容の確認等を容易に行うことができる（図示せず。）。
【００６４】
つぎに、第１の参考例に係るペンについて、図１４を参照して説明する。
【００６５】
第１の参考例に係るペン７２は、例えば、上述した本実施の形態例に係る筆記入力装置の感圧入力部を押圧して、あるいは感圧部を押圧した状態のまま押圧位置を移動させることで筆記情報を入力するための筆記用のペンである。
【００６６】
ペン７２は、ペン先７４と、ペン本体（胴体）７６とで構成される。ペン本体７６は指で保持する部分である。ペン先７４は、感圧入力部に押しつけて摺動させる箇所であるペン軸部７８と、ペン軸部７８を保持する保持部８０とで構成される。ペン先７４の保持部８０の内面およびペン本体７６の先端外周にはそれぞれ螺合するための螺条７８ａ、７８ｂが形成されている。保持部８０とペン本体７６とを螺合させることにより、ペン先７４がペン本体７６に着脱可能に取り付けられる。
【００６７】
第１の参考例に係るペン７２は、ペン軸部７８の表面粗さを異ならせた複数のペン先７４を用意し、好みに応じてペン先７４を取り替えて用いることにより、滑り具合の程度、言いかえれば、滑り過ぎや引っかかり易い等の感覚に起因する書き味の調整を行なうことができる。複数のペン軸部７８の表面粗さを異ならせるには、例えば、前記した本実施の形態例に係るシートの場合のように、樹脂材料の種類を選択して用い、また、用いる樹脂材料に対する粒子配合の有無や粒子の配合量の調整を行う等により実現することができる。
【００６８】
また、ペン７２は、ペン軸部７８の剛性、言いかえれば硬さの程度を異ならせた複数のペン先７４を用意し、好みに応じてペン先７４を取り替えて用いることにより、ペンを押しつけて筆記入力するときの筆圧のばらつきを吸収することができ、書き味の調整を行なうことができる。複数のペン軸部７８の剛性を異ならせるには、例えば、用いる材料の種類を選択する等によって実現することができる。具体例として、ペン軸部７８の材料として、例えば、相対的に硬いポリアセタール樹脂を用いたものと、相対的に柔らかいポリオレフィン樹脂を用いたものとを組み合わせたものや、また、ペン軸部７８の材料として、例えば、これらの樹脂を用いたものと、ゴムを用いたものとを組み合わせたもの等を挙げることができる。
【００６９】
この場合、図１５に示すように、ペン軸部の滑り具合や剛性等の異なる２つのペン先８２ａ、８２ｂをペン本体７６の両端に着脱可能に取り付けると、ペン先を着脱することなく、ペンを長さ方向に反転して用いるだけで、異なる書き味を容易に得ることができる。なお、ペン７２は、ペン先８０ａ、８０ｂをペン本体７６に固着したものであってもよい。
【００７０】
つぎに、第２の参考例に係るペン８４について、図１６を参照して説明する。
【００７１】
ペン８４は、ペン先８６（あるいはペン軸部であってもよい。）を備えたキャップ８８が、別のペン先９０を有するペン本体７６に着脱可能に嵌合して取り付けられている。この場合、ペン先９０はペン本体７６に固着しておいてもよい。ペン先８６およびペン先９０は、ペン軸部の滑り具合や剛性等が異なるように調整される。
【００７２】
これにより、キャップ８８を付けたままの状態とキャップ８８を外した状態とでペン８４を使い分けることで、書き味を調整することができる。
【００７３】
つぎに、第３の参考例に係るペン９２について、図１７を参照して説明する。
【００７４】
ペン９２は、ペン軸部９４ａ乃至９４ｃの滑り具合や剛性等が異なるように調整された複数のペン先９６ａ乃至９６ｃが相互に順番を入れ替えて着脱可能に連結されている。この場合、ペン先は、図１７のように筒体状の保持部９８ａ乃至９８ｃのそれぞれのペン軸部側の表面および反ペン軸部側の端部の内面に螺条１００ａおよび１００ｂ、１０２ａおよび１０２ｂ、１０４ａおよび１０４ｂを形成して、ペン先９６ａ乃至９６ｃを相互に螺合できるように形成してもよいし、あるいは、それぞれの保持部１０６ａ乃至１０６ｃを筒体形状のキャップ状に形成して嵌合して用いてもよい。
【００７５】
これにより複数のペン先９６ａ乃至９６ｃの連結順を変えることで、書き味を調整することができる。
【００７６】
つぎに、本実施の形態の第３の参考例に係るペン１０８について、図１８を参照して説明する。
【００７７】
ペン１０８は、ペン軸部１１０が取り付けられる保持部（あるいはペン本体）１１２に、ペン軸部１１０を緩挿する凹部１１４が形成される。そして、凹部１１４の底に弾性体１１６を配設した状態で、ペン軸部１１０が緩挿される。弾性体１１６はゴムであってもよく、あるいはコイルばねであってもよい。
【００７８】
これにより、強い筆圧でペン１０８を感圧入力部に押しつけて筆記入力を行うときであっても、筆圧が緩和されて適度な書き味を得ることができる。また、強い筆圧でそのまま筆記入力を行ったときに生じうる感圧入力部のシート等の損傷が軽減される。
【００７９】
つぎに、第４の参考例に係るペン１１８について、図１９を参照して説明する。
【００８０】
ペン１１８は、図１８における弾性体に変えて、厚みの薄い半球殻状の金属製の部材１２０が凹部１２２の底に伏せた状態で配設される。この部材１２０は、例えば、タクタイルスイッチ等に使用されるものを用いることができる。そして、部材１２０を間に挟んでペン軸部１２４が凹部１２２に緩挿される。
【００８１】
これにより、筆記の際の圧力印加時に部材１２０の形状が変形して力を吸収するとともに圧力除去時に形状が復元することにより、カチカチと鳴る音を聴知可能であるとともに触知可能であり、強すぎる筆圧がある程度緩和されるとともに、良好なクリック感を得ることができる。
【００８２】
なお、以上説明した本実施の形態に係る各例およびその変形例において採用する各構成要素は、本発明の効果を阻害するものでない限り、他の例において採用することができるものであり、また、本実施の形態の各例の筆記入力装置とペンを好適に組み合わせて用いることができることは言うまでもない。
【図面の簡単な説明】
【００８３】
【図１】本実施の形態の第１の例に係る筆記入力装置の装置本体の概略正面図である。
【図２】図１の筆記入力装置の装置本体の概略斜視図である。
【図３】図１の筆記入力装置の装置本体と処理部との電気的な接続構造を説明するための図である。
【図４】図１の筆記入力装置１０の切り換えスイッチの変形例を説明するための図である。
【図５】本実施の形態の第２の例に係る筆記入力装置の装置本体の概略正面図である。
【図６】図５の筆記入力装置に用いるシートの構成を説明するための図である。
【図７】図５の筆記入力装置に設けたシート収納部を説明するための図である。
【図８】本実施の形態の第３の例に係る筆記入力装置の装置本体の概略斜視図である。
【図９】本実施の形態の第４の例に係る筆記入力装置の装置本体の部分正面図である。
【図１０】図９の筆記入力装置で用いる筆記補助模様表示部の表示の一例を説明するための図である。
【図１１】図９の筆記入力装置で用いる筆記補助模様表示部の表示の他の一例を説明するための図である。
【図１２】本実施の形態の第５の例に係る筆記入力装置の装置本体の部分正面図である。
【図１３】図１２の筆記入力装置で用いる液晶表示部の表示の一例を説明するための図である。
【図１４】第１の参考例に係るペンの部分分解図である。
【図１５】図１４のペンの変形例のペンの概略図である。
【図１６】第２の参考例に係るペンの部分分解図である。
【図１７】第３の参考例に係るペンの部分分解図である。
【図１８】第４の参考例に係るペンの部分断面図である。
【図１９】第５の参考例に係るペンの部分断面図である。
【符号の説明】
【００８４】
１０、５０、６０、６４、６８  筆記入力装置
１２  装置本体
１３  処理部
１３を有する。
【００８５】
１４ａ、１４ｂ、６２  感圧入力部
１６ａ、１６ｂ  抵抗膜
１８  シート
２０  ガラス板
２２ａ、２２ｂ、２２ｃ、２２ｄ  電極
２４  ドットスペーサ
２６  ケーブル
２８  切り替えスイッチ
２８ａ〜２８ｈ  接点部
３０ａ〜３０ｈ  電線
３４  断続スイッチ
３８  自動切り換えスイッチ
４０  マグネット
４４、４６  リードスイッチの組
４８  突出部
５２  カバーシート
５６  シート収納部
５８  ペン収納部
６２ａ、６２ｂ  感圧入力部領域
６６、６６ａ、６６ｂ  筆記補助模様表示部
７０  液晶表示部
７２、８４、９２、１０８、１１８  ペン
７４、８２ａ、８２ｂ、８６、９０、９６ａ〜９６ｃ  ペン先
７６  ペン本体
７８、９４ａ〜９４ｃ、１１０、１２４  ペン軸部
８０、１０６ａ〜１０６ｃ、１１２  保持部
８８  キャップ
１１６  弾性体
１２０  部材
【図１】
2008276803.tif 000003
【図２】
2008276803.tif 000004
【図３】
2008276803.tif 000005
【図４】
2008276803.tif 000006
【図５】
2008276803.tif 000007
【図６】
2008276803.tif 000008
【図７】
2008276803.tif 000009
【図８】
2008276803.tif 000010
【図９】
2008276803.tif 000011
【図１０】
2008276803.tif 000012
【図１１】
2008276803.tif 000013
【図１２】
2008276803.tif 000014
【図１３】
2008276803.tif 000015
【図１４】
2008276803.tif 000016
【図１５】
2008276803.tif 000017
【図１６】
2008276803.tif 000018
【図１７】
2008276803.tif 000019
【図１８】
2008276803.tif 000020
【図１９】
2008276803.tif 000021